(57)【要約】【課題】ねじ止め部分からの水の浸入を防ぎつつ、取付けを容易にすることができるダブルねじを提供する。【解決手段】第１ねじ部材と第２ねじ部材とが締結可能にされたダブルねじであって、第１ねじ部材は、他のおねじの頭部よりも小さな径の貫通孔と、貫通孔に軸を貫通させられた他のおねじの頭部を収容する収容部と、収容部の貫通孔に対向する側を開口させる開口部とを有し、第２ねじ部材は、貫通孔に軸を貫通させられた他のおねじの頭部を収容部が収容した後に開口部を塞ぐように、第１ねじ部材に対して締結される締結部と、締結部が第１ねじ部材に締結されたときに、他のおねじの軸とは逆方向に延びるように設けられたおねじ部とを有する。【選択図】図１
2020190318.tif 000002
【特許請求の範囲】
【請求項１】
第１ねじ部材と第２ねじ部材とが締結可能にされたダブルねじであって、
前記第１ねじ部材は、
他のおねじの頭部よりも小さな径の貫通孔と、
前記貫通孔に軸を貫通させられた前記他のおねじの頭部を収容する収容部と、
前記収容部の前記貫通孔に対向する側を開口させる開口部と
を有し、
前記第２ねじ部材は、
前記貫通孔に軸を貫通させられた前記他のおねじの頭部を前記収容部が収容した後に前記開口部を塞ぐように、前記第１ねじ部材に対して締結される締結部と、
前記締結部が前記第１ねじ部材に締結されたときに、前記他のおねじの軸とは逆方向に延びるように設けられたおねじ部と
を有することを特徴とするダブルねじ。
【請求項２】
前記おねじ部は、
前記締結部と一体に形成されていること
を特徴とする請求項１に記載のダブルねじ。
【請求項３】
前記おねじ部は、
前記締結部に形成されためねじ部に対して締結される止めねじ又は長ねじであること
を特徴とする請求項１に記載のダブルねじ。
【請求項４】
前記締結部は、
前記収容部を外側から覆うように締結されること
を特徴とする請求項１〜３のいずれか１項に記載のダブルねじ。
【請求項５】
前記締結部は、
前記収容部の内側に締結されること
を特徴とする請求項１〜３のいずれか１項に記載のダブルねじ。
【請求項６】
前記第２ねじ部材は、
前記第１ねじ部材に対して締結されたときに、水の浸入を防ぐシール部材を挟み込む隙間を形成すること
を特徴とする請求項１〜５のいずれか１項に記載のダブルねじ。
【発明の詳細な説明】
【技術分野】
【０００１】
本発明は、ダブルねじに関する。
【背景技術】
【０００２】
屋外に設置するものをねじ止めするときに、ねじ止め部分からの水の浸入を防ぐことが必要になる場合がある。例えば、防水処理を施された建築物の壁面材に対し、後から看板などをねじ止めする場合、ねじの締結時に防水ゴム・パッキンなどを使用して、ねじ止め部分からの水の浸入を防ぐことが知られている。
【０００３】
また、屋外設置の通信装置などに用いられる筐体本体と蓋部とをパッキンを介し締め付ける防水部用の特殊ねじは公知である（例えば特許文献１参照）。
【先行技術文献】
【特許文献】
【０００４】
【特許文献１】特開平１１−３０３８３１号公報
【発明の概要】
【発明が解決しようとする課題】
【０００５】
しかしながら、ねじ止めに防水ゴム・パッキンなどを用いる場合、ねじを締結するごとに防水ゴム・パッキンなどを使用しなければならず、作業に手間がかかるという問題があった。
【０００６】
本発明は、上記に鑑みてなされたものであって、ねじ止め部分からの水の浸入を防ぎつつ、取付けを容易にすることができるダブルねじを提供することを目的とする。
【課題を解決するための手段】
【０００７】
上述した課題を解決し、目的を達成するために、本発明の一態様にかかるダブルねじは、第１ねじ部材と第２ねじ部材とが締結可能にされたダブルねじであって、前記第１ねじ部材は、他のおねじの頭部よりも小さな径の貫通孔と、前記貫通孔に軸を貫通させられた前記他のおねじの頭部を収容する収容部と、前記収容部の前記貫通孔に対向する側を開口させる開口部とを有し、前記第２ねじ部材は、前記貫通孔に軸を貫通させられた前記他のおねじの頭部を前記収容部が収容した後に前記開口部を塞ぐように、前記第１ねじ部材に対して締結される締結部と、前記締結部が前記第１ねじ部材に締結されたときに、前記他のおねじの軸とは逆方向に延びるように設けられたおねじ部とを有することを特徴とする。
【０００８】
また、本発明の一態様にかかるダブルねじは、前記おねじ部が、前記締結部と一体に形成されていることを特徴とする。
【０００９】
また、本発明の一態様にかかるダブルねじは、前記おねじ部が、前記締結部に形成されためねじ部に対して締結される止めねじ又は長ねじであることを特徴とする。
【００１０】
また、本発明の一態様にかかるダブルねじは、前記締結部が、前記収容部を外側から覆うように締結されることを特徴とする。
【００１１】
また、本発明の一態様にかかるダブルねじは、前記締結部が、前記収容部の内側に締結されることを特徴とする。
【００１２】
また、本発明の一態様にかかるダブルねじは、前記第２ねじ部材が、前記第１ねじ部材に対して締結されたときに、水の浸入を防ぐシール部材を挟み込む隙間を形成することを特徴とする。
【発明の効果】
【００１３】
本発明によれば、ねじ止め部分からの水の浸入を防ぎつつ、取付けを容易にすることができるという効果を奏する。
【図面の簡単な説明】
【００１４】
【図１】（ａ）は、一実施形態にかかるダブルねじを上方から見た図である。（ｂ）は、締結したダブルねじ及びその周辺を側方から見た断面図である。（ｃ）は、締結前のダブルねじを側方から見た断面図である。
【図２】一実施形態にかかるダブルねじによって建造物の外壁に看板を取り付けた状態を上方からみた断面図である。
【図３】（ａ）は、ダブルねじの第１変形例を上方から見た図である。（ｂ）は、締結したダブルねじの第１変形例及びその周辺を側方から見た断面図である。（ｃ）は、締結前のダブルねじの第１変形例を側方から見た断面図である。
【図４】（ａ）は、ダブルねじの第２変形例を上方から見た図である。（ｂ）は、締結したダブルねじの第２変形例及びその周辺を側方から見た断面図である。（ｃ）は、締結前のダブルねじの第２変形例を側方から見た断面図である。
【発明を実施するための形態】
【００１５】
以下に、一実施形態にかかるダブルねじを、図面を用いて説明する。図１は、一実施形態にかかるダブルねじを例示する図である。図１（ａ）は、ダブルねじを上方から見た図（平面図）である。図１（ｂ）は、締結したダブルねじ及びその周辺を側方から見た断面図である。図１（ｃ）は、締結前のダブルねじを側方から見た断面図である。
【００１６】
図１の各図に示すように、一実施形態にかかるダブルねじは、締結可能にされた第１ねじ部材１及び第２ねじ部材２を有し、例えばおねじ３とともに用いられる。おねじ３は、ねじ山が刻まれた軸３０と頭部３２を有する。おねじ３は、例えばタッピンねじであり、めねじ加工をされていない相手材の下穴に対し、自身のねじ山でめねじ山を塑性形成させながらねじ込み締結する部材であるが、これに限定されない。
【００１７】
第１ねじ部材１は、おねじ３の頭部３２よりも小さな径の貫通孔１０と、貫通孔１０に軸３０を貫通させられたおねじ３の頭部３２を収容する収容部１２と、収容部１２の貫通孔１０に対向する側を開口させる開口部１４とを有する。第１ねじ部材１は、例えばステンレスなどによって形成される。
【００１８】
また、収容部１２は、外形が円柱状にされており、外側にねじ山１６が刻まれて、貫通孔１０と開口部１４とが対向するように設けられたおねじとしての機能を備えている。
【００１９】
第２ねじ部材２は、貫通孔１０に軸３０を貫通させられたおねじ３の頭部３２を収容部１２が収容した後に開口部１４を塞ぐように、第１ねじ部材１に対して締結される締結部２０と、締結部２０が第１ねじ部材１に締結されたときに、おねじ３の軸３０とは逆方向に延びるように設けられたおねじ部２２とを有する。第２ねじ部材２は、例えばステンレスなどによって形成される。
【００２０】
締結部２０は、おねじ部２２と一体に形成されている。また、締結部２０は、おねじ部２２とは逆側を開口させる開口部２４を有し、内側にねじ山２６が刻まれて、第１ねじ部材１に対するめねじとしての機能を備えている。
【００２１】
つまり、第２ねじ部材２は、おねじ３の頭部３２を収容している収容部１２を外側から締結部２０が覆うように、第１ねじ部材１に対して締結される。
【００２２】
次に、一実施形態にかかるダブルねじの具体的な使用例について説明する。図２は、一実施形態にかかるダブルねじによって建造物の外壁に看板を取り付けた状態を上方からみた断面図である。
【００２３】
図２に示すように、例えば建造物の外壁が２枚のボード１００，１０２と、金属製の角波合板１０４とを重ね合せて構成されている場合に、屋外側に看板４を取り付けるために、第１ねじ部材１及び第２ねじ部材２は、おねじ３とともに用いられる。
【００２４】
ボード１００，１０２及び角波合板１０４は、例えば複数のタッピンねじ１０６によって予め締結されている。また、タッピンねじ１０６それぞれは、例えばワッシャー１０８及び防水パッキン１１０を用いてねじ止め部分からの水の浸入を防止されている。
【００２５】
例えば、予め締結されているボード１００，１０２及び角波合板１０４からなる外壁に対して看板４を取り付ける場合、まず、作業者は、第１ねじ部材１の貫通孔１０におねじ３の軸３０を貫通させたまま、ボード１００，１０２及び角波合板１０４に対しておねじ３をねじ込む。
【００２６】
次に、作業者は、ボード１００，１０２及び角波合板１０４に対してねじ込まれたおねじ３の頭部３２を収容部１２に収容する第１ねじ部材１に対し、第２ねじ部材２を締結させる。
【００２７】
そして、作業者は、第１ねじ部材１に締結された第２ねじ部材２のおねじ部２２を、例えば看板４のバカ穴を貫通させて、めねじの機能を備えたキャップ５（又はナット）によって締結する。キャップ５は、例えば意匠性を考慮した任意の材質で形成されてもよい。
【００２８】
このように、第１ねじ部材１及び第２ねじ部材２は、おねじ３の頭部３２を収容部１２内に収容して封じ込め、頭部３２の座面が第１ねじ部材１に接触した状態で締結されるので、防水ゴム・パッキンなどを用いなくても、ねじ止め部分からの水の浸入を防ぎつつ、看板４の取付けを容易にすることができる。
【００２９】
なお、看板４の重量が例えば２０〜１００ｋｇのように所定値以上の重量である場合には、おねじ３のねじ先側に荷重受け６が取り付けられてもよい。
【００３０】
次に、一実施形態にかかるダブルねじの第１変形例について説明する。図３は、一実施形態にかかるダブルねじの第１変形例を示す図である。図３（ａ）は、ダブルねじの第１変形例を上方から見た図（平面図）である。図３（ｂ）は、締結したダブルねじの第１変形例及びその周辺を側方から見た断面図である。図３（ｃ）は、締結前のダブルねじの第１変形例を側方から見た断面図である。
【００３１】
図３の各図に示すように、一実施形態にかかるダブルねじの第１変形例は、締結可能にされた第１ねじ部材１及び第２ねじ部材２ａを有し、例えばおねじ３とともに用いられる。以下、図１に示したダブルねじの構成と実質的に同一の構成には同一の符号が付してある。
【００３２】
第２ねじ部材２ａは、貫通孔１０に軸３０を貫通させられたおねじ３の頭部３２を収容部１２が収容した後に開口部１４を塞ぐように、第１ねじ部材１に対して締結される締結部２０ａと、締結部２０ａが第１ねじ部材１に締結されたときに、おねじ３の軸３０とは逆方向に延びるように設けられたおねじ部２２とを有する。第２ねじ部材２ａは、例えばステンレスなどによって形成される。
【００３３】
締結部２０ａは、おねじ部２２と一体に形成されている。また、締結部２０ａは、おねじ部２２とは逆側を開口させる開口部２４を有し、内側にねじ山２６が刻まれて、第１ねじ部材１に対するめねじとしての機能を備えている。
【００３４】
つまり、第２ねじ部材２ａは、おねじ３の頭部３２を収容している収容部１２を外側から締結部２０ａが覆うように、第１ねじ部材１に対して締結される。ただし、締結部２０ａは、図１に示した締結部２０よりも高さが低くされている。つまり、第２ねじ部材２ａが第１ねじ部材１に対して締結されたときに、隙間ｄが形成される。
【００３５】
隙間ｄは、例えば第２ねじ部材２ａが第１ねじ部材１に対して締結されたときに、水の浸入を防ぐシール部材７などが挟み込まれるように設けられている。シール部材７は、例えばブチルゴムなどによって形成され、第１ねじ部材１及び第２ねじ部材２ａによる防水機能をより高めるために用いられてもよい。
【００３６】
次に、一実施形態にかかるダブルねじの第２変形例について説明する。図４は、一実施形態にかかるダブルねじの第２変形例を示す図である。図４（ａ）は、ダブルねじの第２変形例を上方から見た図（平面図）である。図４（ｂ）は、締結したダブルねじの第２変形例及びその周辺を側方から見た断面図である。図４（ｃ）は、締結前のダブルねじの第２変形例を側方から見た断面図である。
【００３７】
図４の各図に示すように、一実施形態にかかるダブルねじの第２変形例は、締結可能にされた第１ねじ部材１ｂ及び第２ねじ部材２ｂを有し、例えばおねじ３とともに用いられる。
【００３８】
第１ねじ部材１ｂは、おねじ３の頭部３２よりも小さな径の貫通孔１０ｂと、貫通孔１０ｂに軸３０を貫通させられたおねじ３の頭部３２を収容する収容部１２ｂと、収容部１２ｂの貫通孔１０ｂに対向する側を開口させる開口部１４ｂとを有する。第１ねじ部材１ｂは、例えばステンレスなどによって形成される。
【００３９】
また、収容部１２ｂは、円筒状部分の内側にねじ山１２０ｂが刻まれて、貫通孔１０ｂと開口部１４ｂとが対向するように設けられためねじとしての機能を備えている。
【００４０】
第２ねじ部材２ｂは、例えば独立した締結部２０ｂ及びおねじ部２２ｂが締結されることによって構成される。締結部２０ｂは、例えばステンレスなどによって形成される。おねじ部２２ｂは、意匠性などを考慮して、例えば真鍮などの締結部２０ｂとは異なる材料によって形成されてもよい。
【００４１】
締結部２０ｂは、外形が円柱状にされており、外側にねじ山２００ｂが刻まれて、おねじとしての機能を備えている。また、締結部２０ｂは、中央部分を貫通するめねじ部２０２ｂが形成されており、おねじ部２２ｂに対するめねじとしての機能も備えている。
【００４２】
おねじ部２２ｂは、締結部２０ｂに形成されためねじ部２０２ｂに対して締結される止めねじ又は長ねじなどである。
【００４３】
そして、おねじ部２２ｂが締結された締結部２０ｂは、貫通孔１０ｂに軸３０を貫通させられたおねじ３の頭部３２を収容部１２ｂが収容した後に開口部１４ｂを塞ぐように、第１ねじ部材１ｂの収容部１２ｂの内側に締結される。
【００４４】
なお、上述したダブルねじ、ダブルねじの第１変形例、及びダブルねじの第２変形例は、それぞれの特徴が任意に組み合わされてもよい。例えば、ダブルねじの第１変形例において、第２ねじ部材２ａが一体に形成されておらず、締結部と止めねじによって構成されていてもよい。また、ダブルねじの第２変形例において、締結部２０ｂ及びおねじ部２２ｂが一体に形成されていてもよいし、第１ねじ部材１ｂと第２ねじ部材２ｂのおねじとめねじの機能が逆であってもよい。
【符号の説明】
【００４５】
１，１ｂ・・・第１ねじ部材、２，２ａ，２ｂ・・・第２ねじ部材、３・・・おねじ、４・・・看板、５・・・キャップ（又はナット）、６・・・荷重受け、７・・・シール部材、１０，１０ｂ・・・貫通孔、１２，１２ｂ・・・収容部、１４，１４ｂ・・・開口部、１６・・・ねじ山、２０，２０ａ，２０ｂ・・・締結部、２２，２２ｂ・・・おねじ部、２４・・・開口部、２６・・・ねじ山、３０・・・軸、３２・・・頭部、１２０ｂ・・・ねじ山、２００ｂ・・・ねじ山、２０２ｂ・・・めねじ部
【図１】
2020190318.tif 000003
【図２】
2020190318.tif 000004
【図３】
2020190318.tif 000005
【図４】
2020190318.tif 000006